(57)【特許請求の範囲】
【請求項１】
ＬＡＮ上に設けられた複数のサーバと、無線ネットワークを介して前記ＬＡＮに接続する通信端末と、前記通信端末を介してそれぞれ異なるサーバに接続するデバイスを複数有する末端装置とを備えたデータ通信システムであって、
前記通信端末が、前記複数のデバイスの各々に１対１に接続するポートを備え、
前記ＬＡＮ上に、
前記各サーバのＩＰアドレスと、前記通信端末のポート番号とを対応付けた接続デバイス情報を記憶するデータベースと、
前記通信端末からの要求に応じて前記データベースから前記接続デバイス情報を読み出して前記通信端末に送信するデバイス選択サーバとを備え、
前記通信端末が、電源投入時に接続デバイス情報を記憶していない場合には、前記デバイス選択サーバに接続デバイス情報を要求し、前記デバイス選択サーバから送信された接続デバイス情報を記憶しておき、前記ＬＡＮ上の任意のサーバから末端装置への接続要求を受信すると、前記接続要求に含まれる前記サーバのＩＰアドレスを読みとって、前記記憶されている接続デバイス情報を参照して、前記読みとったＩＰアドレスに対応するポート番号のポートに前記接続要求を出力する通信端末であることを特徴とするデータ通信システム。
【発明の詳細な説明】
【技術分野】
【０００１】
本発明は、末端装置が、無線ネットワーク上の通信端末を介してＬＡＮ上のサーバに接続するデータ通信システムに係り、特に、通信端末へのデータ設定の操作を行うことなく、１台の通信端末で、末端装置に設けられた複数のデバイスをそれぞれサーバに接続でき、利便性を向上させ、システムを簡易にすることができるデータ通信システムに関する。
【背景技術】
【０００２】
通信媒体としてＬＡＮや無線ＬＡＮを用い、サーバや通信端末を接続したデータ通信システムが実現されている。
一般的なデータ通信システムの一例に装置について図７を使って説明する。図７は、一般的なデータ通信システムの概略構成ブロック図である。
図７に示すように、データ通信システムとしては、例えば、ＬＡＮ回線に接続され、各種データを備えてサービスを提供するサーバ１と、無線ネットッワークとＬＡＮ回線とを接続するためのデータ変換を行う無線−ＬＡＮ変換装置２と、末端装置４を無線ネットワークに接続する通信端末３′と、利用者がサーバ１にアクセスして各種データやサービスの提供を受けるための末端装置４とから構成されたものがあった。
【０００３】
これらの内、サーバ１と無線−ＬＡＮ変換装置２とはＬＡＮ５１によって接続され、無線−ＬＡＮ変換装置２と通信端末３′とは無線ネットワーク５２を介して接続され、通信端末３′と末端装置４とはシリアルケーブル５３で接続されている。
【０００４】
つまり、上記構成のシステムは、サーバ１を備えたＬＡＮ回線ネットワークと、通信端末３′を備えた無線ネットワークとが、無線−ＬＡＮ変換装置２によって接続され、通信端末３′に接続された末端装置４とサーバ１との間での通信を可能とするシステムである。
【０００５】
次に、上記構成のデータ通信システムにおけるプロトコルスタックについて、サーバ１から末端装置４にデータを送信する場合を例として説明する。図８は、データ通信システムにおけるプロトコルスタックの一例を示す説明図である。
図８に示すように、サーバ１からＬＡＮ経由で無線−ＬＡＮ変換装置２へ送信されたデータは、無線−ＬＡＮ変換装置２の無線インタフェースから無線ネットワーク５２を介して通信端末３′へ送信される。そして、通信端末３′の無線インタフェースから、ＲＳ−２３２Ｃによって末端装置４に送信されるようになっている。また、末端装置４からサーバ１へは、逆の経路により送信が行われるものである。
【０００６】
次に、上述したシステムにおけるサーバと末端装置４との通信において、末端装置４が自己のＩＰアドレスを保持している場合の動作について図９を用いて説明する。図９は、末端装置がアドレスを保持している場合の通信を示す模式説明図である。
図９に示すように、一般に、サーバ１を含むネットワーク環境では、サーバ１に、ネットワークに直接接続している通信端末３′のＩＰアドレスが予め設定されている。図９の例では、サーバ１には、通信端末３′のＩＰアドレスとして192.168.1.1が設定されている。
【０００７】
しかし、通信端末３′のＩＰアドレスは、末端装置４のＩＰアドレスとは異なることが多く、例えば、図９では、末端装置４のＩＰアドレスは172.16.1.1であって、通信端末３′のＩＰアドレスとは一致していない。このような場合、末端装置４が自己のＩＰアドレスを送信元アドレスとして用いてサーバ１と通信を行おうとした場合、サーバ１においてＩＰアドレスを認識できず、ＩＰアドレスの不一致となって通信を行うことができない。
【０００８】
そのため、末端装置４とサーバ１とが通信を行うためには、末端装置４又は通信端末３′において末端装置４のＩＰアドレスを通信端末３′のＩＰアドレスに入れ替えてから、サーバ１に送信するようにしていた。
【０００９】
また、末端装置４が複数のデバイスを保持していて、各々のデバイスがそれぞれ別々のサーバに接続して、通信を行う場合がある。このような場合について図１０を用いて説明する。図１０は、従来のデータ通信システムにおいて、末端装置に複数のデバイスが設けられている場合の模式説明図である。
図１０に示すように、末端装置４には、デバイス４１-1〜デバイス４１-nの複数のデバイス（デバイス１〜デバイスｎ）が設けられている。従来の通信端末３′は、シリアルポートを１ポートしか保持していないため、末端装置４のデバイス毎にサーバとの通信を行うためには、各々のデバイスと１対１に接続する通信端末３′-1〜３′-nが必要となる。
【００１０】
そして、上述した例と同様に、各通信端末３′-1〜３′-nには、個別のＩＰアドレスが付与されており、また、各デバイス４１-1〜デバイス４１-nは、通常、接続されている通信端末３′とは異なるＩＰアドレスを保持している。
【００１１】
図１０に示した例の場合、サーバ１が、末端装置４のデバイス４１-1と通信を行う場合には、送信先アドレスとして、通信端末３-1のＩＰアドレス（192.168.1.1）を指定するようになっている。
【００１２】
尚、ＬＡＮ内部の端末と外部ネットワーク上の外部端末との間の通信を行うシステムの従来技術としては、平成１７年１月２０日公開の特開２００５−２００９１号「通信システム及び転送サーバ」（出願人：株式会社日立国際電気、発明者：小林真也）がある。
この従来技術は、ＶｏＩＰパケットを外部端末から受け取った場合に、ＶｏＩＰパケットのアプリケーション層のデータをＬＡＮの内部に設けられた内部端末に転送する転送サーバを備え、ＶｏＩＰ通信を適切に行うことができるものである。
【００１３】
【特許文献１】特開２００５−２００９１号公報（第３−１４頁）
【発明の開示】
【発明が解決しようとする課題】
【００１４】
しかしながら、従来のデータ通信システムでは、末端装置とサーバとが通信を行うためには、末端装置又は通信端末において、末端装置のＩＰアドレスを通信端末のＩＰアドレスに書き換える必要があり、そのためのデータ設定を手動で各装置に対して行わなければならず、作業が煩雑であるという問題点があった。
【００１５】
また、従来のデータ通信システムでは、末端装置に複数のデバイスがあって各々サーバと通信を行う場合、デバイス毎に通信端末を設けなければならず、各々の通信端末へのデータ設定の操作が煩雑で不便であり、末端装置におけるＩＰアドレスの管理も煩雑であるという問題点があった。
【００１６】
本発明は上記実状に鑑みて為されたもので、末端装置とサーバとの通信に伴うＩＰアドレスの設定及び複数デバイスの接続制御を通信端末で自動的に行うことができ、作業の煩雑さを軽減して利便性を向上すると共に、システムを簡易にすることができるデータ通信システムを提供することを目的とする。
【課題を解決するための手段】
【００１７】
上記従来例の問題点を解決するための本発明は、ＬＡＮ上に設けられた複数のサーバと、無線ネットワークを介して前記ＬＡＮに接続する通信端末と、通信端末を介してそれぞれ異なるサーバに接続するデバイスを複数有する末端装置とを備えたデータ通信システムであって、通信端末が、複数のデバイスの各々に１対１に接続するポートを備え、ＬＡＮ上に、各サーバのＩＰアドレスと、通信端末のポート番号とを対応付けた接続デバイス情報を記憶するデータベースと、通信端末からの要求に応じてデータベースから接続デバイス情報を読み出して通信端末に送信するデバイス選択サーバとを備え、通信端末が、電源投入時に接続デバイス情報を記憶していない場合には、デバイス選択サーバに接続デバイス情報を要求し、デバイス選択サーバから送信された接続デバイス情報を記憶しておき、ＬＡＮ上の任意のサーバから末端装置への接続要求を受信すると、接続要求に含まれるサーバのＩＰアドレスを読みとって、記憶されている接続デバイス情報を参照して、読みとったＩＰアドレスに対応するポート番号のポートに接続要求を出力する通信端末であることを特徴としている。
【発明の効果】
【００１８】
本発明によれば、通信端末が、複数のデバイスの各々に１対１に接続するポートを備え、ＬＡＮ上に、各サーバのＩＰアドレスと、通信端末のポート番号とを対応付けた接続デバイス情報を記憶するデータベースと、通信端末からの要求に応じてデータベースから接続デバイス情報を読み出して通信端末に送信するデバイス選択サーバとを備え、通信端末が、電源投入時に接続デバイス情報を記憶していない場合には、デバイス選択サーバに接続デバイス情報を要求し、デバイス選択サーバから送信された接続デバイス情報を記憶しておき、ＬＡＮ上の任意のサーバから末端装置への接続要求を受信すると、接続要求に含まれるサーバのＩＰアドレスを読みとって、記憶されている接続デバイス情報を参照して、読みとったＩＰアドレスに対応するポート番号のポートに接続要求を出力するデータ通信システムとしているので、特別な操作をしなくても、通信端末にデバイスとサーバとを対応付ける接続デバイス情報を自動的に設定することができ、サーバからの接続要求時には、サーバに対応した適切なデバイスに接続要求を出力して、１台の通信端末で、末端装置の複数のデバイスをそれぞれ別個のサーバに確実に接続でき、利便性を向上させ、システムを簡易にする効果がある。
【発明を実施するための最良の形態】
【００１９】
本発明の実施の形態について図面を参照しながら説明する。
本発明のデータ通信システムは、ＩＰアドレスを付与するＩＰ付与サーバと、電話番号に対応したＩＰアドレスを記憶する端末管理データベースとを備え、通信端末が、電源投入時に、ＩＰ付与サーバに対して自己の電話番号を付してＩＰ情報を要求し、ＩＰ付与サーバが、端末管理データベースから受信した要求に含まれる電話番号に対応したＩＰアドレスを読み出して通信端末に応答することにより通信端末にＩＰアドレスを付与し、通信端末が、サーバから受信したデータについては送信先ＩＰアドレスを自己のＩＰアドレスから末端装置のＩＰアドレスに書き換えて送信し、末端装置から受信したデータについては送信先ＩＰアドレスを自己のＩＰアドレスからサーバのＩＰアドレスに書き換えて送信するものであり、通信端末や末端装置にＩＰアドレスのデータ設定の操作を不要とし、利便性を向上させることができるものである。
【００２０】
また、本発明のデータ通信システムは、末端装置が複数のサーバの各々に対応して接続するデバイスを備えたシステムであり、通信端末が複数のデバイスポートを備え、各デバイスポートが末端装置のデバイスと１対１に接続し、各サーバに対応する接続先のデバイスポート番号（接続デバイス情報）を記憶するサーバ接続先管理データベースと、要求に応じて接続デバイス情報を送信するデバイスセレクタサーバとを備え、通信端末が、電源投入時に、デバイスセレクタサーバに対して接続デバイス情報を要求し、デバイスセレクタサーバが、サーバ接続先管理データベースから接続デバイス情報を読み出して通信端末に応答し、通信端末が、任意のサーバから着信があった場合に、サーバのＩＰアドレスに対応するデバイスポート番号のポートを選択して接続するものであり、サーバとデバイスの対応付けデータを設定する操作を行わなくても、１つの通信端末で末端装置の複数のデバイスをそれぞれ対応するサーバに接続することができ、利便性を向上させると共にシステムを簡易にすることができるものである。
【００２１】
図１は、本発明の第１の実施の形態に係るデータ通信システム（第１のシステム）の構成ブロック図である。尚、図７と同様の構成をとる部分については同一の符号を付して説明する。
図１に示すように、第１のシステムの基本的な構成は、図７に示した従来のデータ通信システムと同様であり、サーバ１と、無線−ＬＡＮ変換装置２と、通信端末３と、末端装置４とを備え、サーバ１と無線−ＬＡＮ変換装置２とはＬＡＮ５１を介して接続され、無線−ＬＡＮ変換装置２と通信端末３とは無線ネットワーク５２を介して接続され、通信端末３と末端装置４とはシリアルケーブル５３によって接続されている。
更に、本システムの特徴として、ＬＡＮ５１に、ＩＰ付与サーバ６が接続され、ＩＰ付与サーバ６は端末管理データベース（端末管理ＤＢ）７を備えている。
【００２２】
各構成部分について具体的に説明する。
第１のシステムの特徴部分であるＩＰ付与サーバ６は、ＩＰアドレスの付与を行うものであり、任意の通信端末３から、電話番号を含むＩＰアドレスの要求を受けると、端末管理データベース７から当該電話番号に対応するＩＰアドレスを読み出して、通信端末３に送信するものである。ここで、ＩＰ付与サーバ６は、ＬＡＮ５１、無線−ＬＡＮ変換装置２、無線ネットワーク５２を介して通信端末３と送受信を行うものである。
【００２３】
端末管理データベース７は、電話番号とＩＰアドレスとを対応付けて、複数記憶しているものである。電話番号とＩＰアドレスの組はシステム設置時に登録しておくものであるが、管理者端末（図示せず）等から随時追加や削除を行うようにしてもよい。
【００２４】
第１のシステムの通信端末３は、従来の通信端末３′と同様に、無線ネットワーク５２を介してサーバ１と送受信を行うものであり、第１のシステムでは、ＩＰ付与サーバ６との送受信を行って新たにＩＰアドレスの付与を受けるものである。
【００２５】
通信端末３は、通信端末３全体の制御を行う制御部３１と、末端装置４と接続するシリアルポート３２と、無線ネットワーク５２と接続して送受信を行う無線モジュール３３と、自己の電話番号やＩＰアドレス等のデータを記憶する記憶部３４とを備えている。記憶部３４には、ＩＰ付与サーバ６のＩＰアドレス及び自己の電話番号が予め登録されているほか、サーバ１やＩＰ付与サーバ６のＩＰアドレス、末端装置４のＩＰアドレス等のデータが記憶されている。
【００２６】
更に、第１のシステムの通信端末３は、制御部３１に、ＩＰ付与サーバ６にアクセスしてＩＰアドレスの付与を受けるＩＰ取得手段と、末端装置４とサーバとが送受信を行う際にＩＰアドレスを書き換えるＩＰ書き換え手段とを備えている。
【００２７】
上記構成の第１のシステムにおける動作について図２を用いて説明する。図２は、第１のシステムにおいて、通信端末３がＩＰアドレスを取得する際の動作を示すシーケンス図である。
図２に示すように、通信端末３において電源が投入されると、通信端末３の制御部３１のＩＰ取得手段は、記憶部３４に自己のＩＰアドレスが記憶されているかどうかを判断し、記憶されていない場合には、記憶部３４に記憶されている電話番号を読み出して、ＩＰ付与サーバ６宛に、自己の電話番号を付してＩＰ情報要求電文（図では「ＩＰ情報要求」）を送信する。
【００２８】
ＩＰ付与サーバ６は、ＩＰ情報要求電文を受信すると、端末管理データベース７にアクセスして、端末管理データベース７から、ＩＰ情報要求電文で受信した電話番号に対応するＩＰアドレスを読み出して、ＩＰ情報応答電文（図では「ＩＰ情報応答」）として当該通信端末３宛に送信する。
そして、通信端末３は、ＩＰ情報応答電文で受信したＩＰアドレスを記憶部３４に記憶する。このようにしてＩＰアドレス取得時の動作が行われるものである。これにより、従来、手動で登録していた通信端末のＩＰアドレスを、通信端末３自身が自動で登録することになり、登録作業を不要とすることができるものである。
【００２９】
次に、第１のシステムにおけるサーバ１と末端装置４とが通信を行う際のＩＰアドレス書き換えの動作について図３を用いて説明する。図３は、第１のシステムにおいてサーバ１と末端装置４とが通信を行う際のＩＰアドレス書き換えの動作を示すシーケンス図である。
図３に示すように、サーバ１のＩＰアドレスを192.168.2.1とし、通信端末３のＩＰアドレスを192.168.1.1とし、末端装置のＩＰアドレスを172.16.1.1とする。サーバ１から通信端末３にデータを送信する場合、サーバ１は、送信元ＩＰアドレスに自己のＩＰアドレスを書き込み、送信先ＩＰアドレスに通信端末３のＩＰアドレスを書き込んで、送信する。
【００３０】
通信端末３の制御部３１のＩＰ書き換え手段は、サーバ１から自己宛のデータを受信すると、送信先ＩＰアドレスに書き込まれている自己のＩＰアドレスを、記憶部３４に記憶されている末端装置４のＩＰアドレスで書き換えて、末端装置４宛として送信する。
【００３１】
また、反対に、末端装置４からサーバ１宛にデータを送信する場合、末端装置４は、送信元ＩＰアドレスに自己のＩＰアドレスを入れ、送信先ＩＰアドレスにサーバ１のＩＰアドレスを入れて送信する。
【００３２】
通信端末３の制御部３１のＩＰ書き換え手段は、末端装置４からサーバ１宛のデータを受信すると、送信元ＩＰアドレスに書き込まれている末端装置４のＩＰアドレスを、記憶部３４に記憶されている自己のＩＰアドレスに書き換えて、サーバ１宛に送信する。
これにより、サーバ１は常に、ＩＰアドレスが登録されている通信端末３と送受信を行っていることになり、サーバ１と末端装置４との送受信が正常に行われるものである。
【００３３】
本発明の第１の実施の形態に係るデータ通信システムによれば、通信端末からの要求に応じてＩＰアドレスを付与するＩＰ付与サーバ６と、電話番号とＩＰアドレスとを対応付けて記憶しておく端末管理データベース７とを備え、通信端末３が、電源投入時に自己のＩＰアドレスが記憶されているかどうかを判断し、記憶されていない場合には、ＩＰ付与サーバ６に発信して、自己の電話番号を付してＩＰ情報要求を送信し、ＩＰ付与サーバ６が、端末管理データベース７を参照して受信したＩＰ情報要求に含まれる電話番号に対応するＩＰアドレスを読みとって、ＩＰ情報応答として通信端末３に送信するようにしているので、通信端末３にＩＰアドレスを設定する操作が不要となり、利便性を向上させ、設定を正確に行うことができることができる効果がある。
【００３４】
また、本発明の第１の実施の形態に係るデータ通信システムによれば、ＩＰアドレスを付与された通信端末３は、サーバ１から受信したデータについては送信先ＩＰアドレスを自己のＩＰアドレスから末端装置４のＩＰアドレスに書き換えて送信し、末端装置４から受信したデータについては送信元ＩＰアドレスを末端装置４のＩＰアドレスから自己のＩＰアドレスに書き換えて送信するようにしているので、ＩＰアドレスの書き換えを自動で行って、サーバ１と末端装置４とが正常に通信を行うことができる効果がある。
【００３５】
次に、本発明の第２の実施の形態に係るデータ通信システム（第２のシステム）について説明する。図４は、本発明の第２の実施の形態に係るデータ通信システムの構成ブロック図である。
図４に示すように、第２のシステムの基本的な構成は、第１のシステムとほぼ同様であるが、複数のサーバ１-1〜１-nと、無線−ＬＡＮ変換装置２と、ＬＡＮ５１と、無線ネットワーク５２と、通信端末３と、末端装置４とを備え、第２のシステムの特徴として、ＬＡＮ５１に接続されたデバイスセレクタサーバ８と、デバイスセレクタサーバ８に接続されたサーバ接続先管理データベース（サーバ接続先管理ＤＢ）９とを備えている。また、ここでは図示を省略するが、ＬＡＮ５１上に、第１のシステムにおいて説明したＩＰ付与サーバ６及び端末管理データベース７が設けられており、第１のシステムと同様の動作を行うようになっている。
【００３６】
各構成部分について具体的に説明する。
第２のシステムでは、末端装置４が複数のデバイス４１-1〜４１-nを備え、各々のデバイス４１-1〜４１-nがそれぞれ特定のサーバ１-1〜１-nと通信を行うようになっている。
また、通信端末３は、通信端末３全体の制御を行う制御部３１と、無線ネットワーク５２との送受信を行う無線モジュール３３と、ＩＰアドレスや後述する接続デバイス情報を記憶する記憶部３４とを備え、更に第２のシステムの特徴として、複数のシリアルポート３２-1〜３２-nを備えている。各々のシリアルポート３２は、末端装置４のデバイス４１に１対１に対応してケーブルによって接続されている。
【００３７】
また、通信端末３の記憶部３４には、予め、自己の電話番号や端末管理データベース６のＩＰアドレスに加えて、サーバ接続先管理データベース８のＩＰアドレスが記憶されている。
【００３８】
また、通信端末３の制御部３１は、後述するように、接続デバイス情報を取得していない場合に、デバイスセレクタサーバ８にアクセスして接続デバイス情報を取得するデバイス情報取得手段と、接続デバイス情報に基づいて、サーバ１からの接続要求を適切なデバイスに接続する接続ポート選択手段とを備えている。尚、ここでは説明を省略するが、通信端末３の制御部３１には、第１のシステムにおける通信端末３と同様のＩＰ取得手段及びＩＰ書き換え手段を備えている。
【００３９】
ＬＡＮ５１に接続されたデバイスセレクタサーバ８は、通信端末３からの要求に応じて、末端装置４がサーバ１-1〜１-nの各々と接続するためのデバイスポート番号の情報（接続デバイス情報）を提供するものである。また、デバイスセレクタサーバ８には、通信端末３のＩＰアドレスが記憶されており、ＬＡＮ５１、無線−ＬＡＮ変換装置２、無線ネットワーク５２を介して通信端末３と送受信を行うものである。尚、請求項における「デバイス選択サーバ」は、デバイスセレクタサーバ８に相当するものである。
【００４０】
また、サーバ接続先管理データベース９は、ＬＡＮ５１に接続された各々のサーバ１のＩＰアドレスと、それに対応する通信端末３のシリアルポート（デバイスポート）３２の番号とを対応付けて、接続デバイス情報として記憶しているものである。サーバ接続先管理データベース９に記憶されているデータの例は、図５に示している。サーバ接続先管理データベース９のデータは、通常、システム設置時に登録されているが、管理者端末等（図示せず）から随時書き込み及び削除可能としてもよい。尚、請求項における「データベース」は、サーバ接続先管理データベース９に相当するものである。
【００４１】
次に、第２のシステムにおける動作について説明する。
ここでは説明を省略するが、第２のシステムにおいても、通信端末３の電源投入時にＩＰアドレスが記憶されていない場合には、通信端末３は、ＩＰ付与サーバにアクセスして、ＩＰアドレスを取得するようになっている。
【００４２】
図５は、第２のシステムにおいて、通信端末３がデバイス情報を取得する際の動作を示すシーケンス図である。
図５に示すように、通信端末３において電源が投入されると、通信端末３の制御部３１のデバイス情報取得手段は、記憶部３４を参照して、接続デバイス情報が記憶されているか否かを判断し、まだ接続デバイス情報が記憶されていない場合には、デバイスセレクタサーバ８に自動で発信を行い、デバイスセレクタサーバ８に接続デバイス情報要求電文（図では接続デバイス情報要求）を送信する。
【００４３】
デバイスセレクタサーバ８は、デバイス情報要求電文を受けると、サーバ接続先管理データベース９にアクセスして、記憶されているサーバ１-1〜１-nのＩＰアドレスと、それに対応する通信端末３のシリアルポート３２の番号とが記載されたテーブルのデータを接続デバイス情報として通信端末３に応答する。尚、図５のテーブルにおける「デバイスポート番号」は、シリアルポート３２の識別番号であり、ここでは、図４におけるシリアルポート３２の添字（-1,-2,…-n）で示されている番号である。接続デバイス情報を受信した通信端末３は、記憶部３４に接続デバイス情報を記憶しておく。このようにして通信端末３に接続デバイス情報が取得されるものである。
【００４４】
次に、第２のシステムにおける任意のサーバ１と末端装置４とが通信を行う場合の動作について図６を用いて説明する。図６は、第２のシステムにおける任意のサーバ１と末端装置４とが接続する場合の動作を示すシーケンス図である。
通信端末３は、上述した動作により、記憶部３４に、接続デバイス情報として、サーバ１-1〜サーバ１-nのＩＰアドレスと、各々のサーバに対応して接続する末端装置４のデバイスに接続するためのデバイスポート番号とを記憶している。
【００４５】
図６に示すように、サーバ１-1（ＩＰアドレス192.168.2.1）が、末端装置４と通信を行う場合、通信端末３が、サーバ１-1から接続要求を受信すると、制御部３１の接続ポート選択手段が、接続要求に含まれる送信元サーバのＩＰアドレスを読みとり、記憶部３４に記憶している接続デバイス情報を参照して、当該サーバのＩＰアドレスに対応するデバイスポート番号を特定する。そして、制御部３１は、当該シリアルポート３２-1を介して、末端装置４のデバイス４１-1にサーバ１-1からの接続要求を送信する。
【００４６】
そして、末端装置４では、通信端末のシリアルポート３２-1を介して、デバイス４１-1によってサーバ１-1からの接続要求を受信すると、デバイス４１-1から通信端末３を介してサーバ１-1に接続応答を送信する。通信端末３は、第１のシステムと同様に、送信元ＩＰアドレスを自己のＩＰアドレスに書き換えて、サーバ１-1に接続応答を送信する。接続応答がサーバ１-1に受信されることにより、サーバ１-1と、末端装置４とが通信可能となるものである。
【００４７】
本発明の第２の実施の形態に係るデータ通信システム（第２のシステム）によれば、末端装置４に複数のデバイス４１-1〜４１-nが設けられ、その各々が特定のサーバ１-1〜１-nと接続するシステムであって、通信端末３に複数のシリアルポート３２-1〜３２-nを設け、各々のシリアルポート３２-1〜３２-nが末端装置４のデバイス４１-1〜４１-nと１対１に対応して接続していると共に、複数のサーバ１の各々のＩＰアドレスに対応して、末端装置４の適切なデバイス４１と接続する通信端末３のシリアルポート３２の番号を接続先デバイス情報として記憶するサーバ接続先管理データベース９と、サーバ接続先管理データベース９から接続デバイス情報を読み出して送出するデバイスセレクタサーバ８とを備え、デバイスセレクタサーバ８が、通信端末３からの要求に応じてサーバ接続先管理データベース９から接続先デバイス情報を読み出して当該通信端末３に送信し、通信端末３が受信した接続デバイス情報を記憶部３４に記憶するようにしているので、従来、複数のデバイス毎に設けられていた通信端末３が１台ですみ、末端装置４における通信端末３のＩＰアドレスの管理が容易になり、また、通信端末３に、サーバ１-1〜１-n毎に適切な末端装置４のデバイス４１に接続させるためのシリアルポート３２の番号を手動で設定しなくて済み、利便性を向上できる効果がある。
【００４８】
また、本発明の第２の実施の形態に係るデータ通信システムによれば、サーバ１から末端装置４に発呼（接続要求）があった場合に、通信端末３の制御部３１が当該接続要求に含まれる送信元のサーバ１のＩＰアドレスを読みとって、記憶部３４に記憶されている接続デバイス情報を参照して、送信元のサーバ１のＩＰアドレスに対応するシリアルポート３２の番号を特定し、当該シリアルポート３２から、接続要求を送信するようにしているので、１台の通信端末３で、サーバ１と末端装置４とが接続するための適切なデバイス４１に接続するシリアルポート３２を自動で選択して、複数デバイスの接続制御を通信端末３で行うことができ、複数のサーバ１-1〜１-nと末端装置４との通信をスムーズに実現できる効果がある。
【産業上の利用可能性】
【００４９】
本発明は、末端装置が、無線ネットワーク上の通信端末を介してＬＡＮ上のサーバに接続するデータ通信システムにおいて、通信端末へのデータ設定の操作を行うことなく、１台の通信端末で、末端装置に設けられた複数のデバイスをそれぞれサーバに接続でき、利便性を向上させ、システムを簡易にすることができるデータ通信システムに適している。
【図面の簡単な説明】
【００５０】
【図１】本発明の第１の実施の形態に係るデータ通信システム（第１のシステム）の構成ブロック図である。
【図２】第１のシステムにおいて、通信端末３がＩＰアドレスを取得する際の動作を示すシーケンス図である。
【図３】第１のシステムにおいてサーバ１と末端装置４とが通信を行う際のＩＰアドレス書き換えの動作を示すシーケンス図である。
【図４】本発明の第２の実施の形態に係るデータ通信システム（第２のシステム）の構成ブロック図である。
【図５】第２のシステムにおいて、通信端末３がデバイス情報を取得する際の動作を示すシーケンス図である。
【図６】第２のシステムにおける任意のサーバ１と末端装置４とが接続する場合の動作を示すシーケンス図である。
【図７】一般的なデータ通信システムの概略構成ブロック図である。
【図８】データ通信システムにおけるプロトコルスタックの一例を示す説明図である。
【図９】末端装置がアドレスを保持している場合の通信を示す模式説明図である。
【図１０】従来のデータ通信システムにおいて、末端装置に複数のデバイスが設けられている場合の模式説明図である。
【符号の説明】
【００５１】
１…サーバ、  ２…無線−ＬＡＮ変換装置、  ３…通信端末、  ３１…制御部、  ３２…シリアルポート、  ３３…無線モジュール、  ３４…記憶部、  ４…末端装置、  ４１…デバイス、  ５１…ＬＡＮ、  ５２…無線ネットワーク、  ５３…シリアルケーブル、６…ＩＰ付与サーバ、  ７…端末管理データベース、  ８…デバイスセレクトサーバ、  ９…サーバ接続先管理データベース
【図１】
0004677299.tif 000002
【図２】
0004677299.tif 000003
【図３】
0004677299.tif 000004
【図４】
0004677299.tif 000005
【図５】
0004677299.tif 000006
【図６】
0004677299.tif 000007
【図７】
0004677299.tif 000008
【図８】
0004677299.tif 000009
【図９】
0004677299.tif 000010
【図１０】
0004677299.tif 000011